(57)【要約】【課題】本発明によれば、見た目のスマートさ、動き易さ、安全性に優れ、下腿部の血流促進による疲労予防、浮腫み改善が簡単・快適に行えるズボンを提供する。さらには、下腿部の周りの締め付けを緩めた状態において作業効率を低下させず、下腿部の周りを締め付けたり、締め付けを緩めたりするのに手間がかからないズボンを提供する。【解決手段】着膝下部が外側生地及び内側生地からなる２重構成であり、前記内側生地の少なくとも一部に着用者の下腿部に対する着圧を調整するための手段を備えたことを特徴とする。【選択図】図３
2015214784.tif 000002
【特許請求の範囲】
【請求項１】
膝下部が外側生地及び内側生地からなる２重構成であり、前記内側生地の少なくとも一部に着用者の下腿部に対する着圧を調整するための手段を備えたズボン。
【請求項２】
前記着用者の下腿部に対する着圧を調整するための手段が、内側生地の下腿周部の一部を下腿周方向に寄せて内側生地の下腿周部の下腿周方向の寸法を小さくした状態で固定する手段である請求項１に記載のズボン。
【請求項３】
前記固定する手段が、ファスナー、ボタン、フックおよび面ファスナーからなる群から選ばれる少なくとも１つである請求項２に記載のズボン。
【請求項４】
前記固定する手段で固定した後の内側生地の下腿周方向の寸法をＡ、裾周り寸法をＢ、着用者のふくらはぎ周り寸法をＸ、足首周り寸法をＹとしたとき、
Ａ／Ｘが０．５０〜０．９０、かつ
Ｂ／Ｙが０．６０〜０．９９である請求項２または３に記載のズボン。
【請求項５】
前記固定する手段で固定した後の内側生地の下腿周方向の寸法をＡ、裾周り寸法をＢ、前記固定する手段で固定する前の内側生地の下腿周方向の寸法をＡ’、裾周り寸法をＢ’としたとき、
（Ａ’ − Ａ）／Ａ’が０．０１〜０．３０、かつ
（Ｂ’ − Ｂ）／Ｂ’が０．０２〜０．５０である請求項２〜４のいずれかに記載のズボン。
【請求項６】
前記固定する手段が、内側生地の下腿周部の一部を下腿周方向に段階的に寄せて内側生地の下腿周部の下腿周方向の寸法を小さくした状態で固定する手段である請求項２〜５のいずれかに記載のズボン。
【請求項７】
前記段階的に寄せて固定する手段が、ファスナー、ボタンおよびフックからなる群から選ばれる少なくとも１つである請求項６に記載のズボン。
【請求項８】
前記固定する手段が、内側生地の下腿周部の一部を下腿周方向に連続的に寄せて内側生地の下腿周部の下腿周方向の寸法を小さくした状態で固定する手段である請求項２〜５のいずれかに記載のズボン。
【請求項９】
前記連続的に寄せて固定する手段が、面ファスナーである請求項８に記載のズボン。
【請求項１０】
膝部を有しており、少なくとも前記膝部に配される前記内側生地の一部がメッシュ生地で構成された請求項１〜９のいずれかに記載のズボン。
【請求項１１】
前記外側生地と前記内側生地とを接合する接合部を有し、この接合部の着用時における上端部から裾部端部までの寸法をＣ、ズボンの股下寸法をＤとしたときＣ／Ｄが０．３〜０．８である請求項１〜１０のいずれかに記載のズボン。
【請求項１２】
前記接合部において前記内側生地と前記外側生地に対となる係止部を備え、前記係止部を介して前記内側生地と前記外側生地とが着脱可能な状態で接合された請求項１１に記載のズボン。
【請求項１３】
前記外側生地の内側周囲に固定されたフラップを備え、
前記内側生地の上端部が、前記外側生地と前記フラップとの間、かつ、前記フラップの前記外側生地との固定位置よりも裾部端部側に配された請求項１〜１０のいずれかに記載のズボン。
【請求項１４】
前記外側生地と前記内側生地とを接合する接合部を有し、
前記接合部において前記内側生地と前記外側生地とに対となる係止部を備え、
前記係止部を介して前記内側生地と前記外側生地とが着脱可能な状態で接合された請求項１３に記載のズボン。
【請求項１５】
前記係止部が、前記外側生地と前記フラップとの間、かつ、前記フラップの前記外側生地との固定位置よりも裾部端部側に配された請求項１４に記載のズボン。
【請求項１６】
前記フラップと前記内側生地とを接合する接合部を有し、
前記接合部において前記内側生地と前記フラップとに対となる係止部を備え、
前記係止部を介して前記内側生地と前記フラップとが着脱可能な状態で接合され、
前記係止部が、前記外側生地と前記フラップとの間、かつ、前記フラップの前記外側生地との固定位置よりも裾部端部側に配された請求項１３に記載のズボン。
【発明の詳細な説明】
【技術分野】
【０００１】
本発明は、働く人々の健康維持に関し、なかでも足の疲れ・浮腫みなどが多い職業、例えば運送業、医療・介護、コンピュータ作業に従事する労働者に特に好適なズボンに関する。
【背景技術】
【０００２】
日本は少子高齢化が進み、生産年齢人口の減少という問題に直面しているが、社会を支えるという側面では、６５歳以上の働くシニアや働く女性が増加している。こうした中、貴重な労働者の健康維持・増進はこれまで以上に重要性を増しており、職業衣においても、従来からの安全性、動き易さ、識別性という機能に加え、労働者の健康をより積極的に保つという視点が重要となっている。
【０００３】
労働者に好適なズボンとしては、特許文献１のように、立体裁断パターンにより開脚運動性に優れるズボン、特許文献２のようにしゃがんだ姿勢や立膝の姿勢等をとったときに、腹部の圧迫を低減するズボンが提案されているが、主に作業者の動きやすさに配慮したものであり体に何らかの作用を積極的に及ぼすものではなかった。体に積極的な効果を及ぼす例として特許文献３では、下腿部への着圧により運動中の集中力を高め、疲労を軽減させることを目的としたスポーツ用タイツが提案されており、特許文献４では、ズボンの一部を伸縮性の高い素材で構成することで疲労軽減に加え美脚・足長効果を目的とした着圧ズボンが提案されている。また弾性ストッキングで下腿部を適度な圧力で締め付けることは、下腿部の血行をよくし疲労を軽減することが知られている（非特許文献１、非特許文献２）。
【先行技術文献】
【特許文献】
【０００４】
【特許文献１】特開２０１０−９０４８３号公報
【特許文献２】特開２０１２−２３３２９２号公報
【特許文献３】特開平１０−１３０９１５号公報
【特許文献４】実用新案登録第３１６５０９２号公報
【非特許文献】
【０００５】
【非特許文献１】Influence of compression hosiery on physiological responses to standing fatigue in women (WilliamJ. Kraemer) American College of Sports Medicine, 2000, 1849-1858.
【非特許文献２】Elastic stocking, performance and leg pain recovery in 63-year-old sportsmen J.- C. Chatard IMASSA,Centre d Essai en Vol, Bretigny sur Orge, France Accepted: 3 May 2004 Published online: 29September 2004
【発明の概要】
【発明が解決しようとする課題】
【０００６】
しかしながら、特許文献３に開示されているスポーツ用タイツなどのタイツは、職業作業服等における下衣としては、熱や寒さ、あるいは突起物などから下半身を保護する機能性に劣り、外観の問題からも実用性に欠けるものである。また、特許文献４に開示されているような着圧ズボンも、身体機能へ作用を発揮するものとするためには着圧が強くなり過ぎ、そのせいで、履きにくく、脱ぎにくいという、着脱性に問題がある。さらに、非特許文献１および非特許文献２に開示されている弾性ストッキングは、ズボン下に着用するので機能性、外観の問題はないが、着圧が強いため抵抗感を感じる人も少なくなく、さらに、一旦履いてしまうと途中で窮屈さを感じたときに簡単に脱げないという問題がある。
【０００７】
そこで、本発明は、下腿部への着圧機能をズボンと一体化することで、見た目のスマートさ、動き易さ、安全性に優れ、簡単に下腿部を締めたりゆるめたりできる着脱容易性を備え、血流促進、疲労予防や浮腫み改善が簡単・快適に行えるズボンを提供することにある。
【課題を解決するための手段】
【０００８】
上記課題を解決するために本発明は以下の構成をとる。
（１）膝下部が外側生地及び内側生地からなる２重構成であり、前記内側生地の少なくとも一部に着用者の下腿部に対する着圧を調整するための手段を備えたズボン、
（２）前記着用者の下腿部に対する着圧を調整するための手段が、内側生地の下腿周部の一部を下腿周方向に寄せて内側生地の下腿周部の下腿周方向の寸法を小さくした状態で固定する手段である（１）のズボン、
（３）前記固定する手段が、ファスナー、ボタン、フックおよび面ファスナーからなる群から選ばれる少なくとも１つである（２）のズボン、
（４）前記固定する手段で固定した後の内側生地の下腿周方向の寸法をＡ、裾周り寸法をＢ、着用者のふくらはぎ周り寸法をＸ、足首周り寸法をＹとしたとき、Ａ／Ｘが０．５０〜０．９０、かつＢ／Ｙが０．６０〜０．９９である（２）または（３）のズボン、
（５）前記固定する手段で固定した後の内側生地の下腿周方向の寸法をＡ、裾周り寸法をＢ、前記固定する手段で固定する前の内側生地の下腿周方向の寸法をＡ’、裾周り寸法をＢ’としたとき、（Ａ’ − Ａ）／Ａ’が０．０１〜０．３０、かつ（Ｂ’ − Ｂ）／Ｂ’が０．０２〜０．５０である（２）〜（４）のいずれかのズボン、
（６）前記固定する手段が、内側生地の下腿周部の一部を下腿周方向に段階的に寄せて内側生地の下腿周部の下腿周方向の寸法を小さくした状態で固定する手段である（２）〜（５）のいずれかのズボン、
（７）前記段階的に寄せて固定する手段が、ファスナー、ボタンおよびフックからなる群から選ばれる少なくとも１つである（６）のズボン。
（８）前記固定する手段が、内側生地の下腿周部の一部を下腿周方向に連続的に寄せて内側生地の下腿周部の下腿周方向の寸法を小さくした状態で固定する手段である（２）〜（５）のいずれかのズボン、
（９）前記連続的に寄せて固定する手段が、面ファスナーである（８）のズボン、
（１０）膝部を有しており、少なくとも前記膝部に配される前記内側生地の一部がメッシュ生地で構成された（１）〜（９）のいずれかのズボン、
（１１）前記外側生地と前記内側生地とを接合する接合部を有し、この接合部の着用時における上端部から裾部端部までの寸法をＣ、ズボンの股下寸法をＤとしたときＣ／Ｄが０．３〜０．８である（１）〜（１０）のいずれかのズボン、
（１２）前記接合部において前記内側生地と前記外側生地に対となる係止部を備え、前記係止部を介して前記内側生地と前記外側生地とが着脱可能な状態で接合された（１１）のズボン、
（１３）前記外側生地の内側周囲に固定されたフラップを備え、前記内側生地の上端部が、前記外側生地と前記フラップとの間、かつ、前記フラップの前記外側生地との固定位置よりも裾部端部側に配された（１）〜（１０）のいずれかのズボン、
（１４）前記外側生地と前記内側生地とを接合する接合部を有し、前記接合部において前記内側生地と前記外側生地とに対となる係止部を備え、前記係止部を介して前記内側生地と前記外側生地とが着脱可能な状態で接合された（１３）のズボン、
（１５）前記係止部が、前記外側生地と前記フラップとの間、かつ、前記フラップの前記外側生地との固定位置よりも裾部端部側に配された（１４）のズボン、
（１６）前記フラップと前記内側生地とを接合する接合部を有し、前記接合部において前記内側生地と前記フラップとに対となる係止部を備え、前記係止部を介して前記内側生地と前記フラップとが着脱可能な状態で接合され、前記係止部が、前記外側生地と前記フラップとの間、かつ、前記フラップの前記外側生地との固定位置よりも裾部端部側に配された（１３）のズボン。
【発明の効果】
【０００９】
本発明によれば、見た目のスマートさ、動き易さ、安全性に優れ、下腿部の血流促進による疲労予防、浮腫み改善が簡単・快適に行えるズボンを提供することができる。さらには、下腿部の周りの締め付けを緩めた状態において作業効率を低下させず、下腿部の周りを締め付けたり、締め付けを緩めたりするのに手間がかからないズボンを提供することができる。
【図面の簡単な説明】
【００１０】
【図１】本発明のズボンの一例の正面図。
【図２】下腿部の下腿周方向の寸法を小さくする前の状態のズボンの一例のＳ−Ｓ’の断面図。
【図３】下腿部の下腿周方向の寸法を小さくした後の状態のズボンの一例のＳ−Ｓ’の断面図。
【図４】下腿部の下腿周方向の寸法を小さくする前の状態のズボンの一例のＳ−Ｓ’の断面図。
【図５】下腿部の下腿周方向の寸法を小さくした後の状態のズボンの一例のＳ−Ｓ’の断面図。
【図６】対となる係止部を備えた本発明のズボンの一例の正面図。
【図７】対となる係止部を備えた本発明のズボンの一例の正面図。
【図８】対となる係止部を備えた本発明のズボンの別の一例の正面図。
【図９】対となる係止部を備えた本発明のズボンの別の一例の正面図。
【図１０（ａ）】本発明のズボンの下腿部の内側生地の一例の概念図。
【図１０（ｂ）】本発明のズボンの下腿部の内側生地の一例の概念図。
【図１０（ｃ）】本発明のズボンの下腿部の内側生地の一例の概念図。
【図１１】対となる係止部を備えた本発明のズボンの一例の断面図。
【図１２】フラップを備えた本発明のズボンの一例の断面図。
【図１３】フラップを備えた本発明のズボンの別の一例の断面図。
【発明を実施するための形態】
【００１１】
本発明のズボンは、膝下部が外側生地及び内側生地からなる２重構成となっており、前記内側生地の少なくとも一部に着用者の下腿部に対する着圧を調整するための手段を備えるものである。ズボンの膝下部を上記のとおり２重構成にすることで、見た目のスマートさを担保しつつ、着用者の下腿部への着圧機能を発揮させることができる。ここで、上記の膝下部は、着用者の膝下、具体的にはふくらはぎ部から足首部までをいい、着圧は衣服を着用した際に着用者にかかる圧力をいう。また、着用者の下腿部への着圧を調整、すなわち着用者のふくらはぎから足首に至る下腿部を締めたりゆるめたりするための、少なくとも１つの手段を上記の内側生地に備えることで、ズボンそのものが着脱容易なゲートル様となる。ゲートルとは包帯状の細い布を下腿部に巻いて下腿を適度に加圧し血行を良くし疲労軽減を図るもので軍隊や民間でも肉体労働時に広く使用されてきたものである。このようなゲートル様の機能を着脱容易な仕組みでズボンに一体化しておけば、長時間の立ち仕事や長時間の椅子に座った状態でのデスクワークなど下腿部の血流が滞りやすい作業の前に下腿部を締め、その作業を終了後や、食事や休憩の際には上記の締め付けをゆるめてゆったりと過ごすことができ、機能性と快適性を両立させることができる。さらに、弾性ストッキングや着圧靴下であれば履き忘れることもあり、また、一旦履いてしまうと仕事が終わるまで基本的には脱がないが、ズボンに一体化しておけば忘れることもなく、必要なときに下腿部に圧力をかけることができる。また、着用者の健康に対する意識付けのきっかけにもなる。
【００１２】
前記着用者の下腿部に対する着圧を調整するための手段が、内側生地の下腿周部の一部を下腿周方向に寄せて内側生地の下腿周部の下腿周方向の寸法を小さくした状態で固定する手段であるのが好ましい。そうすることで、よりシンプルな手段で着用者の下腿部に対する着圧を調整することができるため、上記の手段としてコンパクトな機構を採用することもでき非締め付け時において作業効率の低下をより効果的に抑制することができる。また、着用者の下腿部を締め付けたり、締め付けを緩めたりするのにかかる手間もより効果的に抑制することができる。
【００１３】
ここで、固定する手段とは、具体的にファスナー、ボタン、フック、または面ファスナー等を例示することができる。また、これらの固定する手段の中から複数の固定する手段を組み合わせて用いることもできる。
【００１４】
下腿周部への圧力がゼロの状態から必要な着圧がかかる状態に速やかに移行することができる、すなわち着圧調整簡易さの観点から固定する手段は、ファスナー、ボタンおよびフックから選ばれた少なくとも１つによるものであるのがより好ましい。ファスナーは金属ファスナーでも樹脂ファスナーでもよく、金属ファスナーでは銅合金が、樹脂ファスナーではナイロン、ポリエステル、ポリアセタール製が好適に使用できる。これらの中でもファスナーが、閉じることで長さ方向の幅をもってふくらはぎ部全体に圧力をかけることができる点でさらに好ましい。ここでのファスナーは両開きタイプのオープンファスナー、片方が固定されているファスナーいずれでもよいが、スライダーを後述する図２のように上から下に走らせることで閉じるように取り付けると着用者が着用したまま一人で操作しやすい点で好ましい。
【００１５】
また、着用者それぞれが、より快適と感じる着圧になるよう、着圧の微調整することができ、使用の簡易さの観点から固定する手段は、面ファスナーであるのが好ましい。
【００１６】
ここで、前記固定する手段で固定した後の内側生地の下腿周方向の寸法をＡ、裾周り寸法をＢ、着用者のふくらはぎ周り寸法をＸ、足首周り寸法をＹとしたとき、Ａ／Ｘが０．５０〜０．９０、かつＢ／Ｙが０．６０〜０．９９であるのが好ましい。Ａ／Ｘの下限は０．６５以上であるのがより好ましく、Ａ／Ｘの上限は０．８０以下であるのがより好ましい。Ｂ／Ｙの下限は０．７０以上であるのがより好ましく、Ｂ／Ｙの上限は０．８０であるのがより好ましい。ここで、内側生地の下腿周方向の寸法は、ズボンの下腿部の２／３地点での内側生地の下腿周方向を測定した寸法で、擬似的にふくらはぎ部を覆う部分の寸法に相当するものである。これは人が着用していない状態で測定する。また、下腿部の２／３地点とは、ズボンの裾部端部から膝下までの寸法の上記裾部端部から２／３の寸法の地点をいう。裾周り寸法とは、ズボンの裾部端部の裾周方向を測定した寸法で、擬似的に足首部を覆う部分の寸法に相当するものである。これは人が着用していない状態で測定する。
【００１７】
Ａ／Ｘは、内側生地の下腿周方向の寸法を小さくした後の内側生地の下腿周方向の寸法（ここでの寸法は人体に着用していない状態での測定で得られたものをいう）と、人体のふくらはぎ回り寸法を基にしており、一方、Ｂ／Ｙは、内側生地の裾周り寸法を小さくした後の内側生地の裾周り寸法（ここでの寸法は人体に着用していない状態での測定で得られたものをいう）と、人体の足首周り寸法を基にしている。すなわち、それぞれ、着用者のふくらはぎ及び足首に対するフィット性（サポート力）の値を模擬的に求めたものである。ここで、Ａ／Ｘが０．９０以下、Ｂ／Ｙが０．９９以下とすることで、着用時に内側生地が着用者の下腿部に追随し伸びる必要があり高い伸張応力が発生し、これが着用者の下腿部への高いサポート力（着圧）となる。一方で、Ａ／Ｘが０．５０以上、Ｂ／Ｙが０．６０以上とすることで、着用時に着用者の下腿部に対する圧着が必要以上に高くなり、窮屈となり着用快適性が低下するのを抑制することができる。
【００１８】
さらに、前記固定する手段で固定した後の内側生地の下腿周方向の寸法をＡ、裾周り寸法をＢ、前記固定する手段で固定する前の内側生地の下腿周方向の寸法をＡ’、裾周り寸法をＢ’としたとき、（Ａ’ − Ａ）／Ａ’が０．０１〜０．３０、かつ（Ｂ’ − Ｂ）／Ｂ’が０．０２〜０．５０であるのが好ましい。ここで、（Ａ’−Ａ）／Ａ’を０．０１以上、かつ（Ｂ’− Ｂ）／Ｂ’が０．０２とすることで、固定する手段により固定する前の状態において内側生地の下腿周方向および足首回り寸法を十分に確保した上で、さらに固定する手段により固定した状態において着用者の下腿部に対する必要なサポート力（着圧）を得ることができる。一方で、（Ａ’−Ａ）／Ａ’を０．３０以下、かつ（Ｂ’ − Ｂ）／Ｂ’を０．５０以下とすることで、調整巾が必要以上に大きくなり、非締め付け時において作業時に邪魔になることによる作業性の低下を抑制することができる。上記の観点から、（Ａ’−Ａ）／Ａ’の下限は０．０５以上であるのがより好ましく、（Ａ’−Ａ）／Ａ’の上限は０．１０以下であるのがより好ましい。
【００１９】
ここで、前記固定する手段は、内側生地の下腿周部の一部を下腿周方向に段階的に寄せて内側生地の下腿周部の下腿周方向の寸法を小さくした状態で固定するのが好ましい。
【００２０】
ここで、図１０（ａ）は、本発明のズボンの下腿部の内側生地の一例の概念図を示す。上記のズボンは、スナップボタン（オス）の列１５、上記スナップボタン（オス）の列と対になるスナップボタン（メス）（以下スナップボタン（メス）とする）の列１６、スナップボタン（メス）の列１７およびスナップボタン（メス）の列１８を有している。着用者は、（Ｉ）スナップボタン（オス）の列１５とスナップボタン（メス）の列１６、（ＩＩ）スナップボタン（オス）の列１５とスナップボタン（メス）の列１７または（ＩＩＩ）スナップボタン（オス）の列１５とスナップボタン（メス）の列１８と組み合わせを選択することで、内側生地の下腿周部の一部を下腿周方向に段階的に寄せて内側生地の下腿周部の下腿周方向の寸法を小さくした状態で固定することができるため、着用者のふくらはぎ部への所望の着圧を得ることができる。
【００２１】
次に、図１０（ｂ）は、本発明のズボンの下腿部の内側生地の一例の概念図を示す。上記のズボンは、スライダー付きオープンファスナー１９、上記ファスナーと対になるオープンファスナー（以下オープンファスナーとする）２０、オープンファスナー２１およびオープンファスナー２２を有している。上記のズボンにおいても図１０（ａ）に示すものと同様のメカニズムで内側生地の下腿周部の一部を下腿周方向に段階的に寄せて内側生地の下腿周部の下腿周方向の寸法を小さくした状態で固定することができ、着用者のふくらはぎ部への所望の着圧を得ることができる。
【００２２】
段階的に寄せることで、下腿周部への圧力がゼロの状態から、必要な着圧がかかる状態に速やかに移行することができるとともに、ズボンの使用状況に応じて適切な着圧を着用者の下腿部に対し提供することができる。ここで段階的に寄せて固定する手段は、着圧調整簡易さの観点から留め具を使用するのが好ましく、具体的には、ファスナー、ボタンおよびフックから選ばれた少なくとも１つによるものであるのがより好ましい。ファスナーは金属ファスナーでも樹脂ファスナーでもよく、金属ファスナーでは銅合金が、樹脂ファスナーではナイロン、ポリエステル、ポリアセタール製が好適に使用できる。
【００２３】
図１は、本発明のズボンの一例の正面図を示す。図１に示された股下１のズボンは、外側生地と内側生地の接合部２から裾部端部までが外側生地及び内側生地からなる２重構成となっている。内側生地の着圧操作をするには外側生地全体をめくって、着圧調整部を操作してよいが、外側生地の膝下から裾部かけてファスナー３をつけておき、そこを開いて中の着圧調整部を操作する形としてもよい。
【００２４】
図２は、下腿部の下腿周方向の寸法を小さくする前の状態のズボンの一例のＳ−Ｓ’の断面図を示す。内側生地は膝部内側生地４と下腿部内側生地６が連結部５にて結合してなる。また、下腿部内側生地６は下腿部に対する着圧を調整するファスナー７とマチ部８を有している。ここで、膝部の巾９とは連結部５から外側生地と内側生地の接合部２までをいい、下腿部１０とは裾部端部から連結部までをいう。さらに、下腿部の２／３地点１１とは、下腿部１０の裾部端部から上記裾部端部から連結部までの寸法の２／３の寸法の地点をいう。ここでの内側生地の下腿周方向の寸法は、下腿部の２／３地点１１での内側生地の下腿周方向を測定した寸法で、擬似的にふくらはぎ部を覆う部分の寸法に相当するものであるため、これは人が着用していない状態で測定する。また、上記下腿部１０は、マチ部８を有し、調整巾とともに、ファスナーの金具等が直接足に当たらないよう保護する。
【００２５】
次に、図３は、下腿部の下腿周方向の寸法を小さくした後の状態のズボンの一例のＳ−Ｓ’の断面図を示す。ファスナー７を閉状態とし、下腿部の下腿周方向の寸法および裾周り寸法を小さくした後の状態である。ここでの下腿周方向の寸法は、下腿部の２／３地点１１での下腿周方向を測定した寸法をいう。ここでもこの寸法は人が着用していない状態で測定する。
【００２６】
ファスナー長は下腿部の寸法１０の少なくとも４０％以上であるのが好ましい。こうすることで足を入れる際には、はきやすく、絞めたり、緩めたりの着圧巾が適切な部位（ふくらはぎから足首）をカバーできる。また、固定する手段としてボタン、フックを使用する場合は、身長方向にこうした止め具を設け、ここでも長さ方向の幅をもってふくらはぎから足首にかけて全体に圧力をかけるのが好ましい。また、身長方向に２箇所以上のボタン、フックなどの固定する手段を設けることが、着用者に対する着圧が局所的にかかるのを抑制することができる観点から好ましい。
【００２７】
また、前記固定する手段は、内側生地の下腿周部の一部を下腿周方向に連続的に寄せて内側生地の下腿周部の下腿周方向の寸法を小さくした状態で固定するものであるのが好ましい。連続的に寄せることで、着用者それぞれが、より快適と感じる着圧になるよう、微調整することができる。ここで連続的に寄せて固定する手段は、使用の簡易さの点で面ファスナーを使用するのが好ましい。
【００２８】
ここで、図４は、下腿部の下腿周方向の寸法を小さくする前の状態のズボンの一例のＳ−Ｓ’の断面図を示す。上記のズボンは、下腿部に対する着圧を調整する面ファスナー１２を有しており、下腿部に対する着圧を緩めた状態で面ファスナー１２同士を固定している。この態様においては、固定する手段として面ファスナーを用いているため、着用者の下腿部に対する着圧を微調整することができる。ここで、面ファスナーは、面と面を押し付けるとそれだけで貼り付くようになっているもので、貼り付けたり剥がしたりすることが自在にできる。一般的にはフック面とループ面からなるものが多いが、フックとループ両方が埋め込まれており区別のないタイプ、フック面がマッシュルーム状や鋸場状となっており結合力を強めたタイプなども好ましく使用できる。
【００２９】
次に、図５は、下腿部の下腿周方向の寸法を小さくした後の状態のズボンの一例のＳ−Ｓ’の断面図を示す。上記のズボンは、下腿部に対する着圧を調整する面ファスナー１２を有しており、下腿部に対する着圧を強めた状態で面ファスナー１２同士を固定している。
【００３０】
図１０（ｃ）は、本発明のズボンの下腿部の内側生地の一例の概念図を示す。上記のズボンは、面ファスナーの一方の面２３（以下、面ファスナー２３とする）および上記面ファスナー２３と対となり、かつ面ファスナー２３よりも下腿周方向に幅が広い面ファスナーの他方の面２４（以下、面ファスナー２４をする）を有している。ここで、着用者は、面ファスナー２４の端部２５から面ファスナー２４の端部２６の間の任意の部位に面ファスナー２３を固定することが可能である。これにより、内側生地の下腿周部の一部を下腿周方向に連続的に寄せて内側生地の下腿周部の下腿周方向の寸法を小さくした状態で固定することが可能となり、着用者は、各自がより快適と感じる着圧になるよう、微調整することができる。  また、ズボンは前記外側生地と内側生地とを接合する接合部を有していることが好ましい。さらに、その接合部の着用時における上端部から裾部端部までの寸法をＣ、ズボンの股下寸法をＤとしたときＣ／Ｄが０．３〜０．８であるのが好ましい。Ｃ／Ｄを０．３以上とすることで、マッスルポンプであるふくらはぎをより効果的に締め付けることができより優れた血流促進効果を得ることがでる。一方で、Ｃ／Ｄを０．８以下とすることで、締め付け機能が要求される部位に限定して２重構成とすることとなり股周りがごわつくのをより効果的に抑制することができる。
【００３１】
本発明のズボンにおいては、膝部を有しており、少なくとも前記膝部に配される前記内側生地の一部がメッシュ生地で構成されていることが好ましい。ここで、上記の図２は内側生地を膝部内側生地４と下腿部内側生地６で構成した例である。膝部周りは可動域が大きい上、膝裏は蒸れやすいので、通気性のあるメッシュ生地にギャザーを寄せる形で下腿部内側生地６と接続するのが好ましい。下腿部は全体を締め付けることが好ましいので、下腿部内側生地には、よく伸び、また脱いだときに元の大きさに戻るようなストレッチ生地を使用するのが好ましい。ここでマチ部８を設ける場合は、通気性のあるメッシュ生地を使用するのがムレ感を軽減できる点からも好ましい。さらに、夏仕様ズボンの場合、ストレッチ生地には、高い伸張弾性率と高い通気性の両面を併せ持つメッシュ生地を使用するとムレ感が軽減できさらに好ましい。
【００３２】
さらに前記内側生地とズボン本体（外側生地）とに対となる係止部を備え、その係止部を介して前記内側生地とズボン本体が接合または離脱するものであるのが好ましい。
【００３３】
対となる係止部としてはボタンやスナップ、Ｂ面ファスナー等の服飾副資材が使用できるが、テープとスナップを一体化したテーピースナッパーを使用するのが、長期耐久性、着脱容易性の点でより好ましい。
【００３４】
図６および図７は、対となる係止部を備えた本発明のズボンの一例の正面図を示す。
図６で示されるズボンは、対となる係止部を非連結状態とし内側生地をズボン本体１３から離脱させた状態のものである。また、図７で示されるズボンは、対となる係止部を連結状態とし内側生地をズボン本体に接合した状態のものである。人によって、ウエストが細くズボンサイズはＳでも、ふくらはぎが太い人、あるいはその逆も存在する。このように別パーツとすることで、ズボンのサイズ、下腿部着圧部分のサイズをそれぞれ設定されたサイズカテゴリから別々に選んで組み合わせることができるので、いたずらにサイズバリエーションを増やす必要がなく効率的である。さらに、着圧が高めを好む人、低めを好む人がおり、その人に快適な着圧を好み応じて選択することができる。一方、ズボン本体に対となる係止部分を備えているので、いったん下腿着圧部分のサイズが決まりズボン本体と常時接合しておけば、着圧靴下のように履き忘れることもない。
【００３５】
なお、本体との接合部分の設計においては、図７のように膝部分を抜いておくとさらに好ましい。膝を曲げたときのつっぱりを軽減し、係止部への力の集中を緩和することができるためである。
【００３６】
図８および図９は、対となる係止部を備えた本発明のズボンの別の一例の正面図を示す。膝部から裾部が外側生地及び内側生地からなる２重構成となっており、内側生地の少なくとも一部に着用者の下腿部に対する着圧を調整するための手段を備えていれば、図８、９のように下肢部をカバーする内側生地を太腿まで伸ばし着圧してもよい。大腿、ふくらはぎ、足首の順に着圧のパワーを高めていく段階的圧迫が深部静脈の血流速度を高めることに寄与するとされるためである。
【００３７】
図１１は、対となる係止部を備えた本発明のズボンの一例の断面図を示す。本形態のズボンは、膝部から裾部にかけて外側生地及び内側生地からなる２重構成となっており、外側生地および内側生地の接合部において、外側生地および内側生地に設けられた対となる係止部１４より外側生地と内側生地とが着脱可能な状態で接合されている。対となる係止部を構成する部材は特に限定はされないが、例えば、テーピースナッパー等を挙げることができる。
【００３８】
ここで、対となる係止部を構成する部材として、テーピースナッパーを採用することは、構造もシンプルでつけ易いため好ましい。しかし、対となる係止部を構成する部材として、テーピースナッパーなどの膝周り方向に断続的に係止するものを採用する場合などにおいて、着用者が、ズボンをはくときに着用者の足先が外側生地と内側生地の上端部との間を通り、テーピースナッパーが有する互いに隣り合うスナップの間に着用者の足先が入り込み、係止部の少なくとも一部が外れる場合がある。そこで、そのような事態を抑制するために、本発明のズボンは、外側生地の内側周囲に固定されたフラップを備え、ズボンの内側生地の上端部が、外側生地とフラップとの間、かつ、上記のフラップの外側生地との固定位置よりも裾側端部に配されたものであることが好ましい。本発明のズボンをそのような構成とすることで、フラップがカバーとして機能し、着用者がズボンを着用する際に着用者の足先が外側生地と内側生地の上端部との間を通り、係止部に至ることが抑制されるため、係止部の少なくとも一部が外れることが抑制される。この形態のズボンでは、内側生地の上端部が外側生地とフラップの間に配されており、かつ、内側生地の上端部がフラップの外側生地との固定位置よりも裾部端部側に配されていればよく、係止部は、外側生地とフラップの間、かつ、フラップの外側生地との固定位置よりも裾部端部側に配されていてもよいし、フラップの下端部よりも裾側端部側に配されていてもよい。着用者がズボンを着用する際に着用者の足先が外側生地と内側生地の上端部との間を通り、係止部に至ることがより安定して抑制されるため、係止部の少なくとも一部が外れることがより安定して抑制されるとの観点から、係止部は、外側生地とフラップの間、かつ、フラップの外側生地との固定位置よりも裾部端部側に配されていることが好ましい。ここで、図１２は、フラップを備えた本発明のズボンの一例の断面図を示している。この形態のズボンでは、フラップ２７は、フラップの外側生地との固定位置３０を介して外側生地に固定されている。また、本形態のズボンは、外側生地と内側生地との接合部を有しており、その結合部において、内側生地と外側生地とに対となる係止部１４を備えており、その係止部１４を介して内側生地と外側生地とが着脱可能な状態で接合されている。さらに、本形態のズボンにおいては、その係止部１４は内側生地と外側生地との間、かつ、フラップの外側生地との固定位置３０よりも裾部端部３１側に配されている。
【００３９】
また、図の１３は、フラップを備えた本発明のズボンの別の一例の断面図を示す。この形態のズボンでは、フラップ２７は、フラップの外側生地との固定位置３０を介して外側生地に固定されている。また、本形態のズボンは、フラップと内側生地との接合部を有しており、その接合部において、内側生地とフラップとに対となる係止部１４を備え、その係止部１４を介して内側生地とフラップとが着脱可能な状態で接合されている。さらに、本形態のズボンにおいては、その係止部１４は外側生地とフラップ２７との間、かつ、フラップの外側生地との固定位置３０よりも裾部端部３１側に配されている。この形態のズボンにおいても、フラップがカバーとして機能し、着用者がズボンを着用する際に着用者の足先が外側生地と内側生地の上端部との間を通り、係止部に至ることがより安定して抑制されるため、係止部の少なくとも一部が外れることがより安定して抑制される。
【００４０】
着用者がズボンを着用する際に着用者の足先が外側生地と内側生地の上端部との間を通り、係止部に至ることがさらに安定して抑制されるため、係止部の少なくとも一部が外れることがさらに安定して抑制されるとの観点から、上記のフラップのズボン着用時の上下方向の幅は、１〜５ｃｍであることが好ましい。上記のフラップのズボン着用時の上下方向の幅を１〜５ｃｍとすることにより、本発明のズボンが図１３に示す形態である場合には、外側生地とプラップとの縫製による固定がより簡易化できる。
【００４１】
ズボンを構成する各部材の素材は、合成繊維または天然繊維を用いた繊維織編物が汎用性に優れ好ましい。合成繊維および天然繊維の種類は限定されないが、耐洗濯性や原糸・編織設計の汎用性を考慮するとポリエステルやナイロン繊維などを単独で使用したり、さらにポリウレタン、レーヨン、アクリル、綿繊維などと複合して使用することが好ましい。
【００４２】
編織設計においては、織物、編物いずれでもよい。ただし内側生地の前記ストレッチ生地においては、高い伸縮特性を有し、かつ組織構造により吸汗・速乾機能などを付与できる点で編物が好ましい。編組織は経編、緯編いずれでもよいが、より好ましくは人体の胴周方向、すなわち締付方向である身巾方向に比較的高い伸縮性を有する緯編が好ましい。
【００４３】
伸縮可能な織編物としては、絹やウールなどの天然繊維やレーヨンなどの再生繊維、アクリル系繊維やポリエステル系繊維などの合成繊維などに弾性繊維（ポリウレタン繊維など）を混用したストレッチ織編物等があげられる。また弾性繊維を使用しないで例えば一方がポリトリメチレンテレフタレート（ＰＴＴ）を主体としたポリエステルである２種類のポリエステル重合体を繊維長さに沿ってサイドバイサイドに貼りあわせた複合繊維のマルチフィラメントを経糸および緯糸の少なくとも一方に用いたポリエステル系ストレッチ織編物を使用してもよい。
【００４４】
伸縮性を示す測定方法には伸び率、伸長弾性率がある。伸び率は織編地の伸びの程度を表すものであり、この数値が大きいほど、着用したときの体の動きに追従しやすく、着脱も容易である。一方伸長弾性率とは体の動きで伸長した生地が、すばやく元の状態に戻ろうとする回復程度を表すものであり、この数値がおおきいほど、着用したときの型崩れが少なく、着用前後で形態変化を起こしにくい。
【００４５】
前記ストレッチ生地の下腿周方向の伸び率が３０％以上であることが好ましい。前記ストレッチ生地の下腿周方向の伸び率が３０％以上とすることで、人体運動時の皮膚の伸びに十分にストレッチ生地が追従し、運動を阻害することを抑制することができる。
【００４６】
また、前記ストレッチ生地の伸張弾性率は７５％以上であることが好ましい。前記ストレッチ生地の弾性伸張率を７５％以上とすることで、ストレッチ生地の伸びが抑制され、元のズボンのサイズに対する寸法変化が抑制されるため、繰り返し使用で着用感がことなったものとなることを抑制することができる。上記の観点から、ストレッチ生地の弾性伸張率は、９０〜１００％であることがより好ましい。
【実施例】
【００４７】
以下、本発明をさらに実施例により詳細に説明する。
【００４８】
（測定）
（伸び率）
伸び率は、ＪＩＳ  Ｌ  １０９６（２０１０年版）「織物及び編物の生地試験方法」Ｄ法に基づいて測定した。（荷重は４．９Ｎ、標線間距離は２０ｃｍ）            。
【００４９】
（伸長弾性率）
伸長弾性率は、ＪＩＳ  Ｌ  １０９６（２０１０年版）「織物及び編物の生地試験方法」Ｅ法に基づいて測定した。（荷重は４．９Ｎ、標線間距離は２０ｃｍ）          。
【００５０】
（評価）
（疲れ軽減）
ふくらはぎ周り寸法３４〜３８ｃｍ、足首周り寸法２１．５〜２２．５ｃｍの被験者１０名が実施例および比較例のズボンを着用し、３時間、立ち仕事を中心とした作業を行った後、足の疲れを感じる感覚の有無を４段階で評価した。評価点数が高いほど疲れの軽減に優れている。モニター１０人の評価点数合計を評価結果とした。評価基準を表１に示す。
【００５１】
（着圧操作容易性）
ふくらはぎ周り寸法３４〜３８ｃｍ、足首周り寸法２１．５〜２２．５ｃｍの被験者１０名が実施例および比較例のズボンを着用し、ズボンの着用時と下腿部を締めたりゆるめたりの操作が容易かそれとも面倒に感じるかの感覚を４段階で評価した。評価点数が高いほど着脱容易性に優れている。モニター１０人の評価点数合計を評価結果とした。評価基準を表１に示す。
【００５２】
（運動追従性）
ふくらはぎ周り寸法３４〜３８ｃｍ、足首周り寸法２１．５〜２２．５ｃｍの被験者１０名が実施例および比較例のズボンを着用し、上肢下垂前屈動作を行った時の衣服の追従性を４段階で評価した。評価点数が高いほど運動追従性に優れている。モニター１０人の評価点数合計を評価結果とした。評価基準を表１に示す。
【００５３】
（着用快適性）
ふくらはぎ周り寸法３４〜３８ｃｍ、足首周り寸法２１．５〜２２．５ｃｍの被験者１０名が実施例および比較例のズボンを着用し、立位姿勢を取った時の着圧・圧迫に対する快適性を４段階で評価した。評価点数が高いほど着用快適性に優れている。モニター１０人の評価点数合計を評価結果とした。評価基準を表１に示す。
【００５４】
（実施例１）
経糸に１６７ｄｔｅｘのポリエチレンテレフタレート糸とポリエステル６５％綿３５％の紡績糸、緯糸に１６７ｄｔｅｘのポリエチレンテレフタレート糸を用い、経糸密度１５４本／ｉｎｃｈ、緯糸密度６４本／ｉｎｃｈの経二重綾織に製織、染色仕上げし、ポリエステル９０％、綿１０％のベース生地Ｉを得た。
【００５５】
続いて、５６ｄｔｅｘのポリエチレンテレフタレート糸、４４ｄｔｅｘのポリウレタン弾性繊維を用いてメッシュ編組織で編成し、ポリエステル８０％、ポリウレタン２０％のメッシュ編物を得た。
【００５６】
次に、４４ｄｔｅｘのナイロン糸と４４ｄｔｅｘのポリウレタン弾性繊維を用いてトリコットに編成し、染色加工により、ナイロン７０％、ポリウレタン３０％ストレッチ生地Ｉを得た。前記ストレッチ生地Ｉのヨコ（下腿周方向）の伸び率は１０２％、伸長弾性率は９０％であった。
【００５７】
上記ベース生地Ｉを外側生地に用い、上記メッシュ編物を膝部の内側生地とマチ部に、ストレッチ生地Ｉを下腿部の内側生地に用い、外観が図１、内部が図２または３のようなズボンを作製した。着圧調整手段として、下腿部の内側生地に裾部端部から着用者の身長方向に２６ｃｍの長さのファスナーを設けた。このファスナー長は下腿部の寸法の８０％であった。
【００５８】
ファスナーを閉める前の内側生地の下腿周方向の寸法を２８ｃｍ（Ａ’）、裾周り寸法を２２ｃｍ（Ｂ’）とした。
【００５９】
ファスナーを閉めた後の内側生地の下腿周方向の寸法を２６ｃｍ（Ａ）、裾周り寸法を１６ｃｍ（Ｂ）とした。
【００６０】
着用者のふくらはぎ周り寸法（Ｘ）は３４〜３８ｃｍ、足首周り寸法（Ｙ）は２１．５〜２２．５ｃｍであった。これより
Ａ／Ｘは０．６８〜０．７６、
Ｂ／Ｙは０．７１〜０．７４、
（Ａ’ − Ａ）／Ａ’＝（２８−２６）／２８＝０．０７、
（Ｂ’ − Ｂ）／Ｂ’＝（２２−１６）／２２＝０．２７であった。
【００６１】
外側生地および内側生地の接合部の着用時における上端部から裾部端部までの寸法を５０ｃｍに設定した。ズボンの股下寸法を７６．５ｃｍに設定したので、Ｃ／Ｄは０．６５であった。
【００６２】
実施例１のズボンの疲れ軽減、着脱容易性、運動追従性、着用快適性を表１の評価基準により評価した結果、総合的に良好であった。表２に各数値と評価結果を示す。
【００６３】
（実施例２）
実施例１と同じベース生地Ｉとメッシュ編地、ストレッチ生地Ｉを用いて、実施例１と同様に外観が図１、内部が図２または３のようなズボンを作製した。着圧調整手段として実施例１と同様に、下腿部の内側生地に裾部端部から着用者の身長方向に２６ｃｍの長さのファスナーを設けた。
【００６４】
ファスナーを閉める前の内側生地の下腿周方向の寸法を３７ｃｍ（Ａ’）、裾周り寸法を３２ｃｍ（Ｂ’）とし、実施例１にたいしてややゆとりを持たせた。
【００６５】
ファスナーを閉めた後の内側生地の下腿周方向の寸法を２６ｃｍ（Ａ）、裾周り寸法を１６ｃｍ（Ｂ）と実施例１と同様に設定した。
【００６６】
着用者のふくらはぎ周り寸法（Ｘ）は３４〜３８ｃｍ、足首周り寸法（Ｙ）は２１．５〜２２．５ｃｍであった。これより
Ａ／Ｘは０．６８〜０．７６、
Ｂ／Ｙは０．７１〜０．７４、
（Ａ’ − Ａ）／Ａ’＝（３７−２６）／３７＝０．３０、
（Ｂ’ − Ｂ）／Ｂ’＝（３２−１６）／３２＝０．５０であった。
【００６７】
外側生地および内側生地の接合部の着用時における上端部から裾部端部までの寸法を実施例１と同様に５０ｃｍに設定した。ズボンの股下寸法は実施例１と同様に７６．５ｃｍに設定したので、Ｃ／Ｄは０．６５であった。
【００６８】
実施例２のズボンの疲れ軽減、着脱容易性、運動追従性、着用快適性を表１の評価基準により評価した結果、総合的に良好であった。表２に各数値と評価結果を示す。
【００６９】
（実施例３）
実施例１と同じベース生地Ｉとメッシュ編地、ストレッチ生地Ｉを用いて、実施例１と同様に外観が図１、内部が図２または３のようなズボンを作製した。着圧調整手段として実施例１と同様に、下腿部の内側生地に裾部端部から着用者の身長方向に２６ｃｍの長さのファスナーを設けた。
ファスナーを閉める前の内側生地の下腿周方向の寸法を２６．５ｃｍ（Ａ’）、裾周り寸法を１６．５ｃｍ（Ｂ’）とし、実施例１にたいしてゆとりが小さめとした。
【００７０】
ファスナーを閉めた後の内側生地の下腿周方向の寸法を２６ｃｍ（Ａ）、裾周り寸法を１６ｃｍ（Ｂ）と実施例１と同様に設定した。
【００７１】
着用者のふくらはぎ周り寸法（Ｘ）は３４〜３８ｃｍ、足首周り寸法（Ｙ）は２１．５〜２２．５ｃｍであった。これより
Ａ／Ｘは０．６８〜０．７６、
Ｂ／Ｙは０．７１〜０．７４、
（Ａ’ −Ａ）／Ａ’＝（２６．５−２６）／２６．５＝０．０２、
（Ｂ’ −Ｂ）／Ｂ’＝（１６．５−１６）／１６．５＝０．０３であった。
【００７２】
外側生地および内側生地の接合部の着用時における上端部から裾部端部までの寸法を実施例１と同様に５０ｃｍに設定した。ズボンの股下寸法は実施例１と同様に７６．５ｃｍに設定したので、Ｃ／Ｄは０．６５であった。
実施例３のズボンの疲れ軽減、着脱容易性、運動追従性、着用快適性を表１の評価基準により評価した結果、総合的に良好であった。表２に各数値と評価結果を示す。
【００７３】
（実施例４）
実施例１と同じベース生地Ｉとメッシュ編地、ストレッチ生地Ｉを用いて、外観が図１、内部が図４、５のようなズボンを作製した。着圧調整手段として、下腿部の内側生地に裾部端部から着用者の身長方向に２６ｃｍの長さの面ファスナーを設けた。
面ファスナーを閉める前の内側生地の下腿周方向の寸法を３０ｃｍ（Ａ’）、裾周り寸法を２０ｃｍ（Ｂ’）とした。
【００７４】
面ファスナーを最大限に寄せて固定した後の内側生地の下腿周方向の寸法を２５ｃｍ（Ａ）、裾周り寸法を１５ｃｍ（Ｂ）に設定した。
【００７５】
着用者のふくらはぎ周り寸法（Ｘ）は３４〜３８ｃｍ、足首周り寸法（Ｙ）は２１．５〜２２．５ｃｍであった。これより
Ａ／Ｘは０．６６〜０．７４、
Ｂ／Ｙは０．６７〜０．７０、
（Ａ’ −Ａ）／Ａ’＝（３０−２５）／３０＝０．１７、
（Ｂ’ −Ｂ）／Ｂ’＝（２０−１５）／２０＝０．２５であった。
【００７６】
外側生地および内側生地の接合部の着用時における上端部から裾部端部までの寸法を実施例１と同様に５０ｃｍに設定した。ズボンの股下寸法は実施例１と同様に７６．５ｃｍに設定したので、Ｃ／Ｄは０．６５であった。
【００７７】
実施例４のズボンの疲れ軽減、着脱容易性、運動追従性、着用快適性を表１の評価基準により評価した結果、総合的に良好であった。表３に各数値と評価結果を示す。
【００７８】
（実施例５）
経糸緯糸にポリエステル６５％綿３５％の紡績糸を用い、経糸密度１５０本／ｉｎｃｈ、緯糸密度１２０本／ｉｎｃｈの綾織に製織、染色仕上げし、ポリエステル６５％、綿３５％のベース生地ＩＩを得た。
【００７９】
一方、８４ｄｔｅｘのＰＰＴ複合繊維と綿１００％紡績糸を使用して２８Ｇでトリコットを編成し通常の染色仕上げをしてストレッチ生地ＩＩを得た。前記ストレッチ生地ＩＩのヨコ（身巾方向）の伸び率は５０％、伸長弾性率は９０％であった。
【００８０】
上記ベース生地ＩＩを外側生地に用い、実施例１と同様のメッシュ編物を膝部の内側生地とマチ部に、上記ストレッチ生地ＩＩを下腿部の内側生地に用い、実施例１と同様に外観が図１、内部が図２または３のようなズボンを作製した。
【００８１】
着圧調整手段として、下腿部の内側生地に裾部端部から着用者の身長方向に２９ｃｍの長さのファスナーを設けた。
【００８２】
ファスナーを閉める前の内側生地の下腿周方向の寸法を２６ｃｍ（Ａ’）、裾周り寸法を２３ｃｍ（Ｂ’）とした。
【００８３】
ファスナーを閉めた後の内側生地の下腿周方向の寸法を２４ｃｍ（Ａ）、裾周り寸法を１８ｃｍ（Ｂ）に設定した。
【００８４】
着用者のふくらはぎ周り寸法（Ｘ）は３４〜３８ｃｍ、足首周り寸法（Ｙ）は２１．５〜２２．５ｃｍであった。これより
Ａ／Ｘは０．６３〜０．７１、
Ｂ／Ｙは０．８０〜０．８４、
（Ａ’ − Ａ）／Ａ’＝（２６−２４）／２６＝０．０８、
（Ｂ’ −Ｂ）／Ｂ’＝（２３−１８）／２３＝０．２２であった。
【００８５】
外側生地および内側生地の接合部の着用時における上端部から裾部端部までの寸法を４５ｃｍに設定した。ズボンの股下寸法は７５．５ｃｍに設定したので、Ｃ／Ｄは０．６０であった。
【００８６】
実施例５のズボンの疲れ軽減、着脱容易性、運動追従性、着用快適性を表１の評価基準により評価した結果、総合的に良好であった。表３に各数値と評価結果を示す。
【００８７】
（比較例１）
実施例１と同じベース生地Ｉを用いて、外観は実施例１と同様のズボンを作製し比較１とした。比較例１は特に下腿部への着圧機能がなく、疲れ軽減効果は実施例１〜５に比べ低かった。表３に各数値と評価結果を示す。
【００８８】
【表１】
2015214784.tif 000003
【００８９】
【表２】
2015214784.tif 000004
【００９０】
【表３】
2015214784.tif 000005
【符号の説明】
【００９１】
１：股下
２：外側生地と内側生地の接合部
３：ファスナー
４：膝部内側生地
５：連結部
６：下腿部内側生地
７：ファスナー
８：マチ部
９：膝部の巾
１０：下腿部
１１：下腿部の２／３地点
１２：面ファスナー
１３：ズボン本体
１４：対となる係止部
１５：スナップボタン（オス）の列
１６：スナップボタン（メス）の列
１７：スナップボタン（メス）の列
１８：スナップボタン（メス）の列
１９：スライダー付きオープンファスナー
２０：オープンファスナー
２１：オープンファスナー
２２：オープンファスナー
２３：面ファスナーの一方の面
２４：面ファスナーの他方の面
２５：面ファスナー２４の端部
２６：面ファスナー２４の端部
２７：フラップ
２８：内側生地の上端部
２９：フラップの下端部
３０：フラップの外側生地との固定位置
３１：裾側端部
【図１】
2015214784.tif 000006
【図２】
2015214784.tif 000007
【図３】
2015214784.tif 000008
【図４】
2015214784.tif 000009
【図５】
2015214784.tif 000010
【図６】
2015214784.tif 000011
【図７】
2015214784.tif 000012
【図８】
2015214784.tif 000013
【図９】
2015214784.tif 000014
【図１０（ａ）】
2015214784.tif 000015
【図１０（ｂ）】
2015214784.tif 000016
【図１０（ｃ）】
2015214784.tif 000017
【図１１】
2015214784.tif 000018
【図１２】
2015214784.tif 000019
【図１３】
2015214784.tif 000020